(57)【要約】【課題】液晶装置等の電気光学装置において高品質な画像を表示可能とする。【解決手段】駆動回路は、互いに交差して延びる複数のデータ線（６ａ）及び複数の走査線（１１ａ）と、複数の画素部（６００）とを備えた電気光学装置を駆動する。駆動回路は、複数のデータ線に対して、ｎ本（但し、ｎは自然数）のデータ線毎に、画像に応じた画像信号を供給する画像信号供給手段（５００）と、ｎ本のデータ線に含まれる各データ線を時系列で選択することで、画像信号供給手段から供給された画像信号を、ｎ本のデータ線の各々に振り分ける画像信号振分手段（７）と、画像信号振分手段によって複数のデータ線が選択される期間を設定する選択期間設定手段（９００）とを備える。選択期間設定手段は特に、第１のデータ線が選択される期間を、第１のデータ線の次に選択される第２のデータ線が選択される期間に少なくとも部分的に重なるように設定可能とされている。【選択図】図９
2010224219.tif 000002
【特許請求の範囲】
【請求項１】
互いに交差して延びる複数のデータ線及び複数の走査線と、前記複数のデータ線及び前記複数の走査線に夫々電気的に接続された複数の画素部とを備えた電気光学装置を駆動する駆動回路であって、
前記複数のデータ線に対して、ｎ本（但し、ｎは自然数）のデータ線毎に、画像に応じた画像信号を供給する画像信号供給手段と、
前記ｎ本のデータ線に含まれる各データ線を時系列で選択することで、前記画像信号供給手段から供給された前記画像信号を、前記ｎ本のデータ線の各々に振り分ける画像信号振分手段と、
前記画像信号振分手段によって前記複数のデータ線が選択される期間を設定する選択期間設定手段と
を備え、
前記選択期間設定手段は、第１のデータ線が選択される期間を、前記第１のデータ線の次に選択される第２のデータ線が選択される期間に少なくとも部分的に重なるように設定可能とされている
ことを特徴とする駆動回路。
【請求項２】
前記選択期間設定手段は、前記第１のデータ線に供給される前記画像信号と、前記第２のデータ線に供給される前記画像信号との電圧の差が所定の閾値以下である場合に、前記第１のデータ線が選択される期間を前記第２のデータ線が選択される期間に少なくとも部分的に重なるように設定することを特徴とする請求項１に記載の駆動回路。
【請求項３】
前記選択期間設定手段は、前記ｎ本のデータ線のうち初めに選択されるデータ線を前記第１のデータ線として、前記第１のデータ線が選択される期間を前記第２のデータ線が選択される期間に少なくとも部分的に重なるように設定することを特徴とする請求項１又は２に記載の駆動回路。
【請求項４】
前記選択期間設定手段は、前記ｎ本のデータ線毎に、前記第１のデータ線が選択される期間を前記第２のデータ線が選択される期間に少なくとも部分的に重なるように設定することを特徴とする請求項１から３のいずれか一項に記載の駆動回路。
【請求項５】
請求項１から４のいずれか一項に記載の駆動回路を備えることを特徴とする電気光学装置。
【請求項６】
請求項５に記載の電気光学装置を備えることを特徴とする電子機器。
【請求項７】
互いに交差して延びる複数のデータ線及び複数の走査線と、前記複数のデータ線及び前記複数の走査線に夫々電気的に接続された複数の画素部とを備えた電気光学装置を駆動する駆動方法であって、
前記複数のデータ線に対して、ｎ本（但し、ｎは自然数）のデータ線毎に、画像に応じた画像信号を供給する画像信号供給工程と、
前記ｎ本のデータ線に含まれる各データ線を時系列で選択することで、前記画像信号供給手段から供給された前記画像信号を、前記ｎ本のデータ線の各々に振り分ける画像信号振分工程と、
前記画像信号振分工程における前記複数のデータ線が選択される期間を設定する選択期間設定工程と
を備え、
前記選択期間設定工程では、第１のデータ線を選択する期間を、前記第１のデータ線の次に選択される第２のデータ線を選択する期間に少なくとも部分的に重なるように設定可能とされている
ことを特徴とする駆動方法。
【発明の詳細な説明】
【技術分野】
【０００１】
本発明は、例えば液晶装置等の電気光学装置を駆動する駆動回路及び駆動方法、並びに該駆動装置を備えた電気光学装置、及び該電気光学装置を備えた、例えば液晶プロジェクター等の電子機器の技術分野に関する。
【背景技術】
【０００２】
この種の駆動回路によって駆動される電気光学装置として、例えば互いに交差するように設けられた複数の走査線及びデータ線によって各画素を制御することによって、電気光学パネル上に様々な画像を表示可能とするものがある。電気光学パネルは、例えばフレキシブル基板を介して外部の回路基板等と電気的に接続されている。このような電気光学装置では、電気光学パネルと接続されるフレキシブル基板上に駆動回路を備えており、複数のデータ線に対して同時に画像信号を供給する、所謂ハイブリッド駆動に関する技術が提案されている（例えば、特許文献１参照）。
【先行技術文献】
【特許文献】
【０００３】
【特許文献１】特開２００５−４３４１８号公報
【発明の概要】
【発明が解決しようとする課題】
【０００４】
しかしながら、上述したハイブリッド駆動においては、各データ線に対して画像信号を時分割で振り分けるが、この際、すべてのデータ線のうち同時に画像信号を供給するデータ線の数は、正確な画像信号を供給することが困難になるので、あまり多くすることができない。よって、高精細な画像を表示させるようなデータ線の数が極めて多い装置を駆動する際には、時分割の数が増え、各画素に対して画像に応じた電圧を印加する期間（即ち、書込期間）が不足してしまうおそれがある。
【０００５】
書込期間が不足すると、例えば意図した色調を表示することができず、画像にムラが生じてしまう場合がある。即ち、上述した技術には、高品質な画質を表示できないおそれがあるという技術的問題点がある。
【０００６】
本発明は、例えば上述した問題点に鑑みなされたものであり、高品質な画像を表示することが可能な駆動回路及び駆動方法、並びに電気光学装置及び電子機器を提供することを課題とする。
【課題を解決するための手段】
【０００７】
本発明の駆動回路は上記課題を解決するために、互いに交差して延びる複数のデータ線及び複数の走査線と、前記複数のデータ線及び前記複数の走査線に夫々電気的に接続された複数の画素部とを備えた電気光学装置を駆動する駆動回路であって、前記複数のデータ線に対して、ｎ本（但し、ｎは自然数）のデータ線毎に、画像に応じた画像信号を供給する画像信号供給手段と、前記ｎ本のデータ線に含まれる各データ線を時系列で選択することで、前記画像信号供給手段から供給された前記画像信号を、前記ｎ本のデータ線の各々に振り分ける画像信号振分手段と、前記画像信号振分手段によって前記複数のデータ線が選択される期間を設定する選択期間設定手段とを備え、前記選択期間設定手段は、第１のデータ線が選択される期間を、前記第１のデータ線の次に選択される第２のデータ線が選択される期間に少なくとも部分的に重なるように設定可能とされている。
【０００８】
本発明の駆動回路によれば、その動作時には、互いに交差して延びる複数のデータ線及び複数の走査線と、前記複数のデータ線及び前記複数の走査線に夫々電気的に接続された複数の画素部と、前記複数のデータ線に供給される電圧を一時的に保持する保持容量とを備えた電気光学装置が駆動される。具体的には、走査線から画素部におけるトランジスタに対して走査信号が供給され、データ線から画素部における画素電極への画像信号の供給が制御される。これにより、所謂アクティブマトリクス方式による画像表示が行われる。
【０００９】
本発明では、電気光学装置の動作に際して、先ず画像信号供給手段から複数のデータ線に対し、ｎ本のデータ線毎に画像信号が供給される。即ち、画像信号はｎ本のデータ線に供給される信号として、まとめて供給される。このため、データ線の前段における配線の数を効果的に低減することができる。
【００１０】
画像信号供給手段から供給された画像信号は、例えばデマルチプレクサ等の画像信号振分手段がｎ本のデータ線に含まれる各データ線を時系列で選択することで、ｎ本のデータ線の各々に振り分けられる。即ち、選択されているデータ線にのみ画像信号が供給されるような構成とされることで、まとめて供給された画像信号が、複数のデータ線の各々に順次振り分けられて供給される。
【００１１】
画像信号振分手段が各データ線を選択する期間は、選択期間設定手段により適宜設定される。ここで本発明では特に、選択期間設定手段は、第１のデータ線が画像信号振分手段によって選択される期間が、第１のデータ線の次に選択される第２のデータ線が選択される期間に少なくとも部分的に重なるように設定可能とされている。即ち、第１のデータ線が選択される期間が、続く第２のデータ線が選択される期間にまで延びるように設定することが可能とされている。これにより、通常は重なり合わない第１のデータ線及び第２のデータ線の選択される期間が、互いに重なり合うように設定することができる。
【００１２】
上述したように第１のデータ線が選択される期間が延ばされることで、第１のデータ線に画像信号を供給する期間（即ち、書込期間）が増加する。よって、書込期間が不足することによって生じる表示ムラを効果的に低減することができる。尚、第１のデータ線が選択される期間と、第２のデータ線が選択される期間とが重なる期間は、できる限り短くされることが好ましい。
【００１３】
ちなみに、第１のデータ線が選択される期間と、第２のデータ線が選択される期間とが重なることによって、第１のデータ線に供給される画像信号及び第２のデータ線に供給される画像が互いに影響し合ってしまう場合が考えられる。しかしながら、このような影響が生じ難い場合にのみ、選択期間が重なり合うように設定すれば、より好適に表示ムラを低減させることが可能となる。即ち、選択期間設定手段は、常時連続するデータ線の選択期間が重なり合うように設定しなくともよく、予め設定された所定の条件を満たした場合にのみ選択期間が重なり合うような設定を行うようにしてもよい。
【００１４】
本発明の駆動回路は、典型的には、データ線及び走査線、並びに画素部が配列される表示領域を備える電気光学パネルに接続されるフレキシブル基板上に、集積回路として設けられる。但し、電気光学パネル上に、本発明の駆動回路の一部又は全部が設けられても構わない。
【００１５】
以上説明したように、本発明の駆動回路によれば、電気光学装置において高品質な表示を行うことが可能である。
【００１６】
本発明の駆動回路の一態様では、前記選択期間設定手段は、前記第１のデータ線に供給される前記画像信号と、前記第２のデータ線に供給される前記画像信号との電圧の差が所定の閾値以下である場合に、前記第１のデータ線が選択される期間を前記第２のデータ線が選択される期間に少なくとも部分的に重なるように設定する。
【００１７】
この態様によれば、先ず第１のデータ線に供給される画像信号と、第２のデータ線に供給される画像信号とが比較され、互いの電圧の差が求められる。そして、第１のデータ線が選択される期間は、求められた電圧の差が所定の閾値以下である場合に、第２のデータ線が選択される期間に重なるように設定される。尚、ここでの「所定の閾値」とは第１のデータ線に供給される画像信号及び第２のデータ線に供給される画像信号が影響し合あわない程度に近いことを判定するための閾値であり、実際の表示への影響等を実験的或いは理論的に導き出したうえで予め設定される。
【００１８】
本態様では、上述したように、第１のデータ線に供給される画像信号と、第２のデータ線に供給される画像信号との電圧の差が所定の閾値以下である場合に、第１のデータ線が選択される期間が第２のデータ線が選択される期間に重なるように設定されるため、第１のデータ線に供給される画像信号及び第２のデータ線に供給される画像が互いに影響し合ってしまうことを防止することができる。即ち、第１のデータ線に、第２のデータ線に供給されるべき画像信号が供給されてしまうことによって、正常な画像表示が行えなくなってしまうことを防止することができる。従って、より好適に表示ムラを低減させることが可能となる。
【００１９】
本発明の駆動回路の他の態様では、前記選択期間設定手段は、前記ｎ本のデータ線のうち初めに選択されるデータ線を前記第１のデータ線として、前記第１のデータ線が選択される期間を前記第２のデータ線が選択される期間に少なくとも部分的に重なるように設定する。
【００２０】
この態様によれば、画像信号供給手段によって画像信号が供給されるｎ本のデータ線のうち、初めに選択されるデータ線の選択期間が、選択期間設定手段によって続いて選択されるデータ線の選択期間に重なるように設定される。即ち、画像信号振分手段において最初に振り分けられる画像信号の書込期間が延びるように設定される。
【００２１】
ｎ本のデータ線のうち、初めに選択されるデータ線においては、例えば画像信号を保持する保持容量等に、画像信号に先立って供給されるプリチャージ電圧や、１フレーム前の画像を表示させた際の電圧が保持されている状態で書込が開始される。これに対し、以降に選択されるデータ線においては、直前に供給された画像信号に応じた電圧が保持されている状態で書込が開始される。このため、ｎ本のデータ線のうち、初めに選択されるデータ線は、以降に選択されるデータ線と比べて、保持電圧が低い（即ち、書込まれるべき電圧との差が大きい）状態で書込が行われるため、書込期間が不足してしまう可能性が高い。
【００２２】
しかるに本態様では、上述したように、初めに選択されるデータ線の選択期間が、続いて選択されるデータ線の選択期間に重なるように設定される。よって、書込不足になり易いデータ線に対する書込期間が延びるように設定される。従って、より好適に表示ムラを低減させることが可能となる。
【００２３】
本発明の駆動回路の他の態様では、前記選択期間設定手段は、前記ｎ本のデータ線毎に、前記第１のデータ線が選択される期間を前記第２のデータ線が選択される期間に少なくとも部分的に重なるように設定する。
【００２４】
この態様によれば、画像信号供給手段によって画像信号が供給されるｎ本のデータ線毎に、選択期間が延びるように設定される。即ち、ｎ本のデータ線の選択期間は、ｎ本毎に夫々まとめて続いて選択されるデータ線の選択期間に重なるように設定される。言い換えれば、ｎ本のデータ線のいずれか一本における選択期間が続く選択期間にまで延びるように設定される際には、ｎ本のデータ線全ての選択期間が同様に続く選択期間にまで延びるように設定される。
【００２５】
第１のデータ線が選択される期間を、第２のデータ線が選択される期間に重なるように設定した場合、第１のデータ線及び第２のデータ線の両方に選択期間が重なることによる影響が出てしまうことが考えられる。この際、一部のデータ線のみ選択期間が重なるように設定してしまうと、選択期間の重なり合わない他のデータ線と書込時の条件が異なることによって、表示ムラが生じてしまうおそれがある。
【００２６】
しかるに本態様では、上述したように、ｎ本のデータ線の選択期間は、ｎ本毎に夫々まとめて設定される。よって、ｎ本のデータ線の各々に対して、概ね同様の条件で画像信号を供給することができる。従って、選択期間がデータ線毎に異なることで、表示ムラが新たに生じてしまうことを防止することができる。
【００２７】
本発明の電気光学装置は上記課題を解決するために、上述した本発明の駆動回路（但し、その各種態様も含む）を備える。
【００２８】
本発明の電気光学装置によれば、上述した本発明に係る駆動回路を具備してなるので、各データ線の選択期間（即ち、書込期間）を十分に確保することができる。従って、表示される画像にムラが生じてしまうことを効果的に低減することができ、高品質な画像を表示させることが可能である。
【００２９】
本発明の電子機器は上記課題を解決するために、上述した本発明の電気光学装置を備える。
【００３０】
本発明の電子機器によれば、上述した本発明に係る電気光学装置を具備してなるので、高品質な表示を行うことが可能な、投射型表示装置、テレビ、携帯電話、電子手帳、ワードプロセッサー、ビューファインダー型又はモニタ直視型のビデオテープレコーダー、ワークステーション、テレビ電話、ＰＯＳ端末、タッチパネルなどの各種電子機器を実現できる。また、本発明の電子機器として、例えば電子ペーパーなどの電気泳動装置等も実現することも可能である。
【００３１】
本発明の駆動方法は上記課題を解決するために、互いに交差して延びる複数のデータ線及び複数の走査線と、前記複数のデータ線及び前記複数の走査線に夫々電気的に接続された複数の画素部とを備えた電気光学装置を駆動する駆動方法であって、前記複数のデータ線に対して、ｎ本（但し、ｎは自然数）のデータ線毎に、画像に応じた画像信号を供給する画像信号供給工程と、前記ｎ本のデータ線に含まれる各データ線を時系列で選択することで、前記画像信号供給手段から供給された前記画像信号を、前記ｎ本のデータ線の各々に振り分ける画像信号振分工程と、前記画像信号振分工程における前記複数のデータ線が選択される期間を設定する選択期間設定工程とを備え、前記選択期間設定工程では、第１のデータ線を選択する期間を、前記第１のデータ線の次に選択される第２のデータ線を選択する期間に少なくとも部分的に重なるように設定可能とされている。
【００３２】
本発明の駆動方法によれば、上述した本発明の駆動回路の場合と同様に、各データ線の選択期間を延ばすように設定することで、書込期間が不足してしまうことを防止することができる。従って、表示される画像にムラが生じてしまうことを効果的に低減することができ、電気光学装置において高品質な画像を表示させることが可能である。
【００３３】
尚、本発明の駆動方法においても、上述した本発明の駆動回路における各種態様と同様の態様を採ることが可能である。
【００３４】
本発明の作用及び他の利得は次に説明する発明を実施するための形態から明らかにされる。
【図面の簡単な説明】
【００３５】
【図１】本実施形態に係る電気光学装置の構成を示す平面図である。
【図２】図１のＨ−Ｈ´線断面図である。
【図３】本実施形態に係る電気光学装置の電気的な構成を示すブロック図である。
【図４】本実施形態に係る電気光学装置の画素部の等価回路図である。
【図５】本実施形態に係る駆動回路の構成を電気光学装置と共に示す斜視図である。
【図６】駆動回路である集積回路の具体的な構成を示すブロック図である。
【図７】通常動作時の各種信号を示すタイミングチャートである。
【図８】第１実施形態に係る制御信号の幅を変更する際の動作を示すフローチャートである。
【図９】第１実施形態に係る制御信号の幅を変更した際の各種信号を示すタイミングチャートである。
【図１０】第２実施形態に係る制御信号の幅を変更する際の動作を示すフローチャートである。
【図１１】第２実施形態に係る制御信号の幅を変更した際の各種信号を示すタイミングチャートである。
【図１２】保持容量に保持される電圧の推移を示したグラフである。
【図１３】電気光学装置を適用した電子機器の一例たるプロジェクターの構成を示す平面図である。
【発明を実施するための形態】
【００３６】
以下では、本発明の実施形態について図を参照しつつ説明する。
【００３７】
＜電気光学装置＞
先ず、本発明の駆動回路によって駆動される電気光学装置について、図１から図４を参照して説明する。尚、以下の実施形態では、本発明の電気光学装置の一例である駆動回路内蔵型のＴＦＴ（Thin Film Transistor）アクティブマトリクス駆動方式の液晶装置を例にとる。
【００３８】
本実施形態に係る電気光学装置の構成について、図１及び図２を参照して説明する。ここに図１は、本実施形態に係る電気光学装置の構成を示す平面図であり、図２は、図１のＨ−Ｈ´線断面図である。
【００３９】
図１及び図２において、本実施形態に係る電気光学装置１００では、ＴＦＴアレイ基板１０と対向基板２０とが対向配置されている。ＴＦＴアレイ基板１０は、例えば石英基板、ガラス基板等の透明基板や、シリコン基板等である。対向基板２０は、例えば石英基板、ガラス基板等の透明基板である。ＴＦＴアレイ基板１０と対向基板２０との間には、液晶層５０が封入されている。液晶層５０は、例えば一種又は数種類のネマティック液晶を混合した液晶からなり、一対の配向膜間で所定の配向状態をとる。
【００４０】
ＴＦＴアレイ基板１０と対向基板２０とは、複数の画素電極が設けられた画像表示領域１０ａの周囲に位置するシール領域に設けられたシール材５２により、相互に接着されている。
【００４１】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、基板間ギャップ）を所定値とするためのグラスファイバー或いはガラスビーズ等のギャップ材が散布されている。尚、ギャップ材を、シール材５２に混入されるものに加えて若しくは代えて、画像表示領域１０ａ又は画像表示領域１０ａの周辺に位置する周辺領域に、配置するようにしてもよい。
【００４２】
シール材５２が配置されたシール領域の内側に並行して、画像表示領域１０ａの額縁領域を規定する遮光性の額縁遮光膜５３が、対向基板２０側に設けられている。尚、このような額縁遮光膜５３の一部又は全部は、ＴＦＴアレイ基板１０側に内蔵遮光膜として設けられてもよい。
【００４３】
周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００４４】
ＴＦＴアレイ基板１０上における対向基板２０の４つのコーナー部に対向する領域には、両基板間を上下導通材１０７で接続するための上下導通端子１０６が配置されている。これらにより、ＴＦＴアレイ基板１０と対向基板２０との間で電気的な導通をとることができる。
【００４５】
図２において、ＴＦＴアレイ基板１０上には、駆動素子である画素スイッチング用のＴＦＴや走査線、データ線等の配線が作り込まれた積層構造が形成される。この積層構造の詳細な構成については図２では図示を省略してあるが、この積層構造の上に、ＩＴＯ（Indium Tin Oxide）等の透明材料からなる画素電極９ａが、画素毎に所定のパターンで島状に形成されている。
【００４６】
画素電極９ａは、対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００４７】
対向基板２０におけるＴＦＴアレイ基板１０との対向面上には、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えばプロジェクター用のランプや直視用のバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００４８】
遮光膜２３上には、ＩＴＯ等の透明材料からなる対向電極２１が複数の画素電極９ａと対向するように形成されている。また遮光膜２３上には、画像表示領域１０ａにおいてカラー表示を行うために、開口領域及び非開口領域の一部を含む領域に、図２には図示しないカラーフィルターが形成されるようにしてもよい。対向基板２０の対向面上における、対向電極２１上には、配向膜２２が形成されている。
【００４９】
尚、図１及び図２に示したＴＦＴアレイ基板１０上には、上述したデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置１００の品質、欠陥等を検査するための検査回路等を形成してもよい。
【００５０】
次に、本実施形態に係る電気光学装置の電気的な構成について、図３及び図４を参照して説明する。ここに図３は、本実施形態に係る電気光学装置の電気的な構成を示すブロック図であり、図４は、本実施形態に係る電気光学装置の画素部の等価回路図である。
【００５１】
図３において、電気光学装置１００は、ＴＦＴアレイ基板１０上に、デマルチプレクサ７及び走査線駆動回路１０４を備えている。ＴＦＴアレイ基板１０上の外部回路接続端子１０２のうち画像信号端子１０２ｖには、外部回路としての画像信号供給回路５００が電気的に接続されている。
【００５２】
ＴＦＴアレイ基板１０上の画像表示領域１０ａには、１０８８本の走査線１１ａが行方向（即ち、Ｘ方向）に延在するように設けられ、また、８本毎にグループ化された１９８４（＝２４８×８）本のアルミニウム等の金属膜からなるデータ線６ａが、列方向（即ち、Ｙ方向）に延在するように、且つ、各走査線１１ａと互いに電気的な絶縁を保つように設けられている。尚、走査線１１ａ及びデータ線６ａの本数はそれぞれ１０８８本及び１９８４本に限定されるものではない。１グループを構成するデータ線数は、本実施形態では「８」としたが、「２」以上であればよい。
【００５３】
画素部６００は、１０８８本の走査線１１ａと１９８４本のデータ線６ａとの交差に対応して、それぞれ配列されている。従って、本実施形態では、画素部６００は、縦１０８８行×横１９８４列で、所定の画素ピッチでマトリクス状に配列することになる。
【００５４】
図４に示すように、画素部６００は、画素スイッチング用ＴＦＴ３０、液晶素子７２及び蓄積容量７０を備えている。
【００５５】
画素スイッチング用ＴＦＴ３０は、ソースがデータ線６ａに電気的に接続され、ゲートが走査線１１ａに電気的に接続され、ドレインが後述する液晶素子７２の画素電極９ａに電気的に接続されている。画素スイッチング用ＴＦＴ３０は、走査線駆動回路１０４から供給される走査信号によってオンオフが切り換えられる。
【００５６】
液晶素子７２は、画素電極９ａ、対向電極２１並びに画素電極９ａ及び対向電極２１間に狭持された液晶から構成されている。液晶素子７２において、データ線６ａ及び画素電極９ａを介して液晶に書き込まれた所定レベルのデータ信号は、対向電極２１との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置１００からは画像信号に応じたコントラストをもつ光が出射する。
【００５７】
蓄積容量７０は、保持された画像信号がリークするのを防ぐために、画素電極９ａと対向電極との間に形成される液晶容量と並列に付加されている。
【００５８】
以上のような画素部６００が、画像表示領域１０ａにマトリクス状に配列されているので、アクティブマトリクス駆動が可能となっている。
【００５９】
再び図３において、本実施形態では、１グループを構成する８列のデータ線６ａを区別するために、右から順にそれぞれａ、ｂ、ｃ、ｄ、ｅ、ｆ、ｇ、ｈ系列と呼ぶ場合がある。詳細には、ａ系列とは１、９、１７、・・・、１９７７列目のデータ線６ａであり、ｂ系列とは２、１０、１８、・・・、１９７８列目のデータ線６ａであり、ｃ系列とは３、１１、１９、・・・、１９７９列目のデータ線６ａであり、ｄ系列とは４、１２、２０、・・・、１９８０列目のデータ線６ａであり、ｅ系列とは５、１３、２１、・・・、１９８１列目のデータ線６ａであり、ｆ系列とは６、１４、２２、・・・、１９８２列目のデータ線６ａであり、ｇ系列とは７、１５、２３、・・・、１９８３列目のデータ線６ａであり、ｈ系列とは８、１６、２４、・・・、１９８４列目のデータ線６ａである。
【００６０】
走査線駆動回路１０４は、シフトレジスタを有しており、１、２、３、・・・、１０８８行目の走査線１１ａに、走査信号Ｇ１、Ｇ２、Ｇ３、・・・、Ｇ１０８８を供給する。詳細には、走査線駆動回路１０４は、１フレームの期間にわたって１、２、３、・・・、１０８８行目の走査線１１ａを順番に選択するとともに、選択した走査線への走査信号を選択電圧に相当するＨレベルとし、それ以外の走査線への走査信号を非選択電圧に相当するＬレベルとする。
【００６１】
画像信号供給回路５００は、ＴＦＴアレイ基板１０とは別体構成であり、表示動作の際には、画像信号端子１０２ｖを介してＴＦＴアレイ基板１０と電気的に接続される。尚、画像信号供給回路５００は、本発明の「画像信号供給手段」の一例である。画像信号供給回路５００は、走査線駆動回路１０４によって選択された走査線１１ａと、各グループに属する８列のデータ線６ａのうち、デマルチプレクサ７によって選ばれるデータ線６ａとに対応する画素電極９ａに対し、当該画素電極９ａが含まれる画素の階調に応じた電圧の画像信号を出力する。画像信号供給回路５００から画像信号端子１０２ｖに供給された画像信号は、画像信号線３００を介してデマルチプレクサ７へ供給される。本実施形態では、上述したように、データ線６ａの列数は「１９８４」であり、これらが８列毎にグループ化されているので、画像信号供給回路４００によって２４８系統にシリアル−パラレル変換された画像信号ＶＩＤ１、ＶＩＤ２、・・・、ＶＩＤ２４８が、２４８個の画像信号端子１０２ｖ及び２４８本の画像信号線３００を介して、データ線６ａのグループの各々に供給される。
【００６２】
更に、本実施形態では、画像信号供給回路５００は、画像信号ＶＩＤ１〜ＶＩＤ２４８を供給する画像信号供給期間に先立つ期間に、画像信号ＶＩＤ１〜ＶＩＤ２４８に代えて、データ線６ａをプリチャージするためのプリチャージ信号を、２４８本の画像信号線３００に一括して出力する。
【００６３】
また、画像信号線３００には、保持容量７００が夫々設けられており、画像信号ＶＩＤ１〜ＶＩＤ２４８及びプリチャージ信号等を一時的に保持することが可能に構成されている。これにより、画像信号を各データ線６ａに供給する期間（即ち、書込期間）の不足を効果的に低減することができる。尚、このような保持容量７００が設けられていない場合であっても、画像信号線３００には、寄生容量が発生することになる。よって、保持容量７００が設けられていない場合であっても、後述する本実施形態に係る効果は発揮される。
【００６４】
デマルチプレクサ７は、本発明の「振分手段」の一例であり、データ線６ａ毎に設けられた複数のトランジスタ７１を含んで構成されている。トランジスタ７１はｎチャネル型であり、各ドレインはデータ線６ａの一端に電気的に接続されている。同一グループに属するデータ線６ａに対応する８個のトランジスタ７１のソースは、当該グループに対応する画像信号線３００と電気的に共通接続されている。
【００６５】
即ち、ｍ番目（但し、ｍは１以上２４８以下の整数）のグループは、ａ系列の（８ｍ−７）列目、ｂ系列の（８ｍ−６）列目、ｃ系列の（８ｍ−５）列目、ｄ系列の（８ｍ−４）列目、ｅ系列の（８ｍ−３）列目、ｆ系列の（８ｍ−２）列目、ｇ系列の（８ｍ−１）列目及びｈ系列の（８ｍ）列目のデータ線６ａから構成されるので、これら８列のデータ線６ａに対応するトランジスタ７１のソースは電気的に共通接続されて、画像信号ＶＩＤ（ｍ）が供給される。トランジスタ７１のゲートには、８本の制御信号線ＳＬ（即ち、制御信号線ＳＬ１〜ＳＬ８）を介して制御信号Ｓｅｌ１〜Ｓｅｌ８が供給される。詳細には、（８ｍ−７）列目のデータ線６ａに対応するトランジスタ７１のゲートには、制御信号線ＳＬ１を介して制御信号Ｓｅｌ１が供給され、同様に（８ｍ−６）列目、（８ｍ−５）列目、（８ｍ−４）列目、（８ｍ−３）列目、（８ｍ−２）列目、（８ｍ−１）列目及び（８ｍ）列目のデータ線６ａに対応するトランジスタ７１のゲートには、引回配線９０（図１参照）に含まれる制御信号線ＳＬ２、・・・、ＳＬ８の各々を介して制御信号Ｓｅｌ２、・・・、Ｓｅｌ８が供給される。制御信号Ｓｅｌ１〜Ｓｅｌ８は、図示しない外部回路としてのタイミング制御回路から外部回路接続端子１０２のうち制御信号端子１０２ｓを介して制御信号線ＳＬ１〜ＳＬ８に供給される。
【００６６】
更に、本実施形態では、制御信号線ＳＬ１〜ＳＬ８に対し、制御信号Ｓｅｌ１〜Ｓｅｌ８とは別にプリチャージタイミング信号が外部回路としてのタイミング制御回路から入力可能な構成となっている。プリチャージタイミング信号は、画像信号ＶＩＤ１〜ＶＩＤ２４８の書き込み期間（即ち、画像信号供給期間）に先立つプリチャージ期間を規定し、制御信号線ＳＬ１〜ＳＬ８に一斉に供給される。従って、プリチャージタイミング信号によって全てのトランジスタ７１は同時に導通し、全データ線６ａが、一斉に画素信号線３００に電気的に接続された導通状態とされる。ここで特に、全データ線６ａには、プリチャージ期間において導通状態とされた画像信号線３００を介して、画像信号ＶＩＤ１〜ＶＩＤ２４８の電位とは別の所定電位を有するプリチャージ信号が供給される。
【００６７】
尚、プリチャージタイミング信号やクロック信号等の各種タイミング信号は、図示しない外部回路としてのタイミング信号供給回路にて生成され、電気光学装置１００内に供給される。また、ＴＦＴアレイ基板１０上の各駆動回路の駆動に必要な電源電圧等についても、外部回路から供給される。外部の駆動回路については、以下で詳細に説明する。
【００６８】
＜駆動回路及び駆動方法＞
次に、上述した電気光学装置を駆動するための駆動回路及び駆動方法について、図５から図１２を参照して説明する。
【００６９】
先ず、本実施形態に係る駆動回路の構成について、図５及び図６を参照して説明する。ここに図５は、本実施形態に係る駆動回路の構成を電気光学装置と共に示す斜視図であり、図６は、駆動回路である集積回路の具体的な構成を示すブロック図である。尚、図５では、図１及び図２において示した電気光学装置１００における詳細な部材を、適宜省略して図示してある。
【００７０】
図５において、本実施形態に係る電気光学装置１００が各種電子機器に適用される際には、フレキシブル基板２００を介して、電子機器側の回路基板４００と電気的に接続される。
【００７１】
電気光学装置１００及びフレキシブル基板２００は、電気光学装置１００における外部回路接続端子１０２に、フレキシブル基板２００の接続端子２１０が、例えば熱圧着等によって接着されることで、互いに電気的に接続されている。一方、フレキシブル基板及び回路基板４００は、フレキシブル基板２００の接続端子２２０が、回路基板４００に設けられたコネクタ４１０に嵌合されることで、互いに電気的に接続されている。
【００７２】
フレキシブル基板２００上には、例えばＴＡＢ（Tape Automated Bonding）技術等を用いて集積回路２５０が設けられている。本実施形態に係る駆動回路は、典型的には、この集積回路２５０の一部又は全部として構成されている。但し、本実施形態に係る駆動回路は、電気光学装置１００又は回路基板４００上に設けられていても構わない。
【００７３】
図６において、集積回路２５０は、上述した画像信号供給回路５００に加えて、画像信号比較回路８００と、タイミング信号供給回路９００とを備えて構成されている。
【００７４】
画像信号比較回路８００は、同一のグループに含まれる８本のデータ線６ａのうち、一のデータ線６ａに係る画像信号と、その直後に選択される他のデータ線６ａに係る画像信号とを比較して差分を算出する回路である。画像回路は、２つの画像信号を互いに比較するために、ラインメモリやフレームメモリ等を備えて構成されている。
【００７５】
画像信号比較回路８００は更に、算出された差分が、予めメモリ等に記憶された所定の閾値以下であるか否かを判定することが可能とされており、この判定結果は、後述するタイミング信号供給回路９００に出力される。
【００７６】
タイミング信号供給回路９００は、デマルチプレクサ７におけるトランジスタ７１（図３参照）を制御するための制御信号Ｓｅｌ１〜Ｓｅｌ８を生成して出力する回路である。また、タイミング信号供給回路９００は、画像信号比較回路８００から入力される判定結果に基づいて、制御信号Ｓｅｌ１〜Ｓｅｌ８の幅を変更可能に構成されている。即ち、タイミング信号供給回路９００は、本発明の「選択期間設定手段」の一例である。タイミング信号供給回路９００は、上述した制御信号Ｓｅｌ１〜Ｓｅｌ８の他にも、プリチャージタイミング信号やクロック信号等の各種タイミング信号を出力することが可能とされている。
【００７７】
以下では、本実施形態に係る駆動回路の動作について、駆動方法別に２つの実施形態を例にとり説明する。
【００７８】
＜第１実施形態＞
先ず、第１実施形態に係る駆動回路の動作について、図３に加えて、図７から図９を参照して説明する。ここに図７は、通常動作時の各種信号を示すタイミングチャートである。また図８は、制御信号の幅を変更する際の動作を示すフローチャートであり、図９は、制御信号の幅を変更した際の各種信号を示すタイミングチャートである。
【００７９】
図３において、走査線駆動回路１０４は、ある１フレーム（第ｎフレーム）の期間にわたって走査信号Ｇ１、Ｇ２、・・・、Ｇ１０８８を１水平期間毎に順次排他的にＨレベル（即ち、選択電圧）とするものとする。
【００８０】
図６において、１水平期間における画像信号供給期間に先立つ期間では、制御信号線ＳＬ１〜ＳＬ８に対して同時にプリチャージタイミング信号が入力されると共に、画像信号線３００の全てにプリチャージ信号が入力される。これにより、全てのトランジスタ７１は、プリチャージタイミング信号のパルス幅によって規定されるプリチャージ期間だけ、導通状態（即ちオン状態）とされ、全てのデータ線６ａにプリチャージ信号が供給される。即ち、１水平期間のうちプリチャージタイミング信号によって規定されるプリチャージ期間においてプリチャージが行われる。プリチャージとは、書き込み不足を防止するために、データ線６ａを充電もしくは放電させ、予めデータ線６ａの電位を画像信号電位に近づけるような制御をいう。
【００８１】
１水平期間における画像信号供給期間では、制御信号線ＳＬ１〜ＳＬ８に対して制御信号Ｓｅｌ１〜Ｓｅｌ８が夫々入力されると共に、２４８本の画像信号線３００には画像信号ＶＩＤ１〜ＶＩＤ２４８が夫々入力される。ここで、画像信号供給期間では、制御信号線ＳＬ１〜ＳＬ８の電位は、制御信号Ｓｅｌ１〜Ｓｅｌ８が供給されることで、この順番で排他的にＨレベルとなり、この供給に合わせて画像信号供給回路４００は、画像信号線３００に画像信号ＶＩＤ１〜ＶＩＤ２４８を供給する。トランジスタ７１は、制御信号Ｓｅｌ１〜Ｓｅｌ８のパルス幅によって規定される単位期間だけ、導通状態とされ、データ線６ａに系列毎に画像信号ＶＩＤ１〜ＶＩＤ２４８が供給される。
【００８２】
詳細には、画像信号供給回路４００は、ｉ行目の走査信号ＧｉがＨレベルとなる期間において、制御信号Ｓｅｌ１が供給されることで制御信号線ＳＬ１の電位がＨレベルとなったとき、ｉ行目の走査線１１ａとａ系列のデータ線６ａとの交差に対応する画素の階調に応じた電圧だけ対向電極電位ＬＣＣＯＭに対して高位または低位の画像信号ＶＩＤ１、ＶＩＤ２、ＶＩＤ３、・・・、ＶＩＤ２４８を、１、２、３、・・・、２４８番目のグループに対応させて一斉に出力する。この際、８本の制御信号線ＳＬのうち制御信号線ＳＬ１だけがＨレベルであるので、ａ系列のデータ線６ａが選択される（即ち、ａ系列のデータ線６ａに対応するトランジスタ７１だけがオンする）結果、画像信号ＶＩＤ１、ＶＩＤ２、ＶＩＤ３、・・・、ＶＩＤ２４８は、それぞれａ系列（１、９、１７、・・・、１９７７列目）のデータ線６ａに供給される。一方、走査信号ＧｉがＨレベルであると、ｉ行目に位置する画素のすべてにおいて、画素スイッチング用ＴＦＴ３０がオン（導通）状態となるので、ａ系列のデータ線６ａに供給された画像信号ＶＩＤ１、ＶＩＤ２、ＶＩＤ３、・・・、ＶＩＤ２４８は、それぞれｉ行１列、ｉ行９列、ｉ行１７列、・・・、ｉ行１９７７列の画素電極９ａに印加されることになる。
【００８３】
次に、画像信号供給回路４００は、制御信号Ｓｅｌ２が供給されることで制御信号線ＳＬ２の電位がＨレベルとなったとき、今度はｉ行目の走査線１１ａとｂ系列のデータ線６ａとの交差に対応する画素の階調に応じた電圧の画像信号ＶＩＤ１、ＶＩＤ２、ＶＩＤ３、・・・、ＶＩＤ２４８を、１、２、３、・・・、２４８番目のグループに対応させて一斉に出力する。この際、制御信号線ＳＬ２だけがＨレベルであるため、ｂ系列のデータ線６ａが選択される結果、画像信号ＶＩＤ１、ＶＩＤ２、ＶＩＤ３、・・・、ＶＩＤ２４８は、それぞれｂ系列（２、１０、１８、・・・、１９７８列目）のデータ線６ａに供給されて、それぞれｉ行２列、ｉ行１０列、ｉ行１８列、・・・、ｉ行１９７８列の画素電極９ａに印加されることになる。
【００８４】
同様に、画像信号供給回路４００は、ｉ行目の走査信号ＧｉがＨレベルとなる期間において、制御信号Ｓｅｌ３が供給されることで制御信号線ＳＬ３の電位がＨレベルとなったときには、ｉ行目の走査線１１ａとｃ系列のデータ線６ａとの交差に対応する画素、制御信号Ｓｅｌ４が供給されることで制御信号線ＳＬ４の電位がＨレベルとなったときには、ｉ行目の走査線１１ａとｄ系列のデータ線６ａとの交差に対応する画素、制御信号Ｓｅｌ５が供給されることで制御信号線ＳＬ５の電位がＨレベルとなったときには、ｉ行目の走査線１１ａとｅ系列のデータ線６ａとの交差に対応する画素、制御信号Ｓｅｌ６が供給されることで制御信号線ＳＬ６の電位がＨレベルとなったときには、ｉ行目の走査線１１ａとｆ系列のデータ線６ａとの交差に対応する画素、制御信号Ｓｅｌ７が供給されることで制御信号線ＳＬ７の電位がＨレベルとなったときには、ｉ行目の走査線１１ａとｇ系列のデータ線６ａとの交差に対応する画素、制御信号Ｓｅｌ８が供給されることで制御信号線ＳＬ８の電位がＨレベルとなったときには、ｉ行目の走査線１１ａとｈ系列のデータ線６ａとの交差に対応する画素、の階調に応じた電圧の画像信号ＶＩＤ１、ＶＩＤ２、ＶＩＤ３、・・・、ＶＩＤ２４８を、それぞれ１、２、３、・・・、２４８番目のグループに対応させて一斉に出力する。
【００８５】
これにより、ｉ行目の各画素の階調に応じた画像信号ＶＩＤ１、ＶＩＤ２、ＶＩＤ３、・・・、ＶＩＤ２４８が、ｃ系列（３、１１、１９、・・・、１９７９列目）のデータ線６ａに供給されて、それぞれｉ行３列、ｉ行１１列、ｉ行１９列、・・・、ｉ行１９７９列の画素電極９ａに印加され、引き続き、ｄ系列（４、１２、２０、・・・、１９８０列目）のデータ線６ａに供給されて、それぞれｉ行４列、ｉ行１２列、ｉ行２０列、・・・、ｉ行１９８０列の画素電極９ａに印加され、引き続き、ｅ系列（５、１３、２１、・・・、１９８１列目）のデータ線６ａに供給されて、それぞれｉ行５列、ｉ行１３列、ｉ行２１列、・・・、ｉ行１９８１列の画素電極９ａに印加され、引き続き、ｆ系列（６、１４、２２、・・・、１９８２列目）のデータ線６ａに供給されて、それぞれｉ行６列、ｉ行１４列、ｉ行２２列、・・・、ｉ行１９８２列の画素電極９ａに印加され、引き続き、ｇ系列（７、１５、２３、・・・、１９８３列目）のデータ線６ａに供給されて、それぞれｉ行７列、ｉ行１５列、ｉ行２３列、・・・、ｉ行１９８３列の画素電極９ａに印加され、引き続き、ｈ系列（８、１６、２４、・・・、１９８４列目）のデータ線６ａに供給されて、それぞれｉ行８列、ｉ行１６列、ｉ行２４列、・・・、ｉ行１９８４列の画素電極９ａに印加される。
【００８６】
以上のような動作により、ｉ行目の画素に対して、階調に応じた画像信号の電圧を書き込む動作が完了する。尚、図７では、各系列のデータ線６ａに対して同じ階調を示す画像信号が供給される場合（即ち、ベタ画像等が表示される場合）について図示してある。
【００８７】
ここで本実施形態では特に、タイミング信号供給回路９００（図６参照）から供給される制御信号Ｓｅｌ１〜Ｓｅｌ８の幅が、画像信号比較回路８００における判定の結果に基づいて変更される。
【００８８】
図８において、先ず画像信号比較回路８００は、画像信号供給回路５００からａ系列のデータ線６ａに係る画像信号と、その直後に選択されるｂ系列のデータ線６ａに係る画像信号を取得する（ステップＳ１１）。そして、取得した２つの画像信号を互いに比較して、その差分（例えば、電位差）を算出する（ステップＳ１２）。
【００８９】
続いて、画像信号比較回路８００は、算出した差分が、予め設定された所定の閾値以下であるか否かを判定する（ステップＳ１３）。ここで、差分が所定の閾値以下でない場合（ステップＳ１３：ＮＯ）、以降のステップは省略される。一方、差分が所定の閾値以下である場合（ステップＳ１３：ＹＥＳ）、グループ内の全ての系列のデータ線６ａに関して、同様に差分が所定の閾値以下となっていたか否かを判定する（ステップＳ１４）。
【００９０】
全ての系列のデータ線６ａにおいて、差分が所定の閾値以下であることが判定されていない場合（ステップＳ１４：ＮＯ）、次の系列に処理が移り（ステップＳ１５）、再びステップＳ１１からステップＳ１３の処理が繰り返される。即ち、ｃ系列以降の画像信号が順次取得され、ｂ系列とｃ系列との差分、ｃ系列とｄ系列との差分、ｄ系列とｅ系列との差分、ｅ列とｆ系列との差分、ｆ系列とｇ系列との差分、ｇ系列とｈ系列との差分が夫々所定値以下となっているか否かが判定される。
【００９１】
全ての系列のデータ線６ａにおいて、差分が所定の閾値以下であることが判定された場合（ステップＳ１４：ＹＥＳ）、タイミング信号供給回路９００は、生成する制御信号Ｓｅｌ１〜Ｓｅｌ８の幅を変更する（ステップＳ１６）。即ち、本実施形態では、全ての系列において差分が所定値以下であると判定された場合に、制御信号Ｓｅｌ１〜Ｓｅｌ８の幅が変更され、いずれかの系列において差分が所定値以下でないと判定された場合には、制御信号Ｓｅｌ１〜Ｓｅｌ８の幅は変更されない。
【００９２】
図９において、制御信号Ｓｅｌ１〜Ｓｅｌ８は、夫々直後に選択される系列の制御信号に重なるように幅が大きくされる。具体的には、Ｓｅｌ１は、Ｓｅｌ２と重なるように延ばされ、Ｓｅｌ２は、Ｓｅｌ３と重なるように延ばされ、Ｓｅｌ３は、Ｓｅｌ４と重なるように延ばされ、Ｓｅｌ４は、Ｓｅｌ５と重なるように延ばされ、Ｓｅｌ５は、Ｓｅｌ６と重なるように延ばされ、Ｓｅｌ６は、Ｓｅｌ７と重なるように延ばされ、Ｓｅｌ７は、Ｓｅｌ８と重なるように延ばされる。最後の系列に対応する制御信号であるＳｅｌ８は、重なる対称となる制御信号が存在しないため、例外的に他の制御信号と同程度に延ばされる。
【００９３】
このように制御信号Ｓｅｌ１〜Ｓｅｌ８の幅が大きくされることで、各データ６ａ線に画像信号を供給する期間（即ち、書込期間）が増加する。よって、書込期間が不足することによって生じる表示ムラを効果的に低減することができる。尚、制御信号Ｓｅｌ１〜Ｓｅｌ８が重なり合う期間は、できる限り短くされることが好ましい。
【００９４】
ちなみに、２つの相異なるデータ線６ａの選択される期間が重なることによって、２つのデータ線６ａに供給される画像信号が互いに影響し合ってしまう場合が考えられる。しかしながら本実施形態では、２つの画像信号の差分が所定の閾値以下である場合に、制御信号Ｓｅｌ１〜Ｓｅｌ８の幅が変更されるため、上述したような不具合を防止することができる。従って、より好適に表示ムラを低減させることが可能となる。
【００９５】
以上説明したように、第１実施形態に係る駆動回路及び駆動方法によれば、電気光学装置において高品質な表示を行うことが可能である。
【００９６】
＜第２実施形態＞
次に、第２実施形態に係る駆動回路について、図１０から図１２を参照して説明する。ここに図１０は、第２実施形態に係る制御信号の幅を変更する際の動作を示すフローチャートであり、図１１は、第２実施形態に係る制御信号の幅を変更した際の各種信号を示すタイミングチャートである。また図１２は、保持容量に保持される電圧の推移を示したグラフである。尚、第２実施形態は、上述の第１実施形態と比べて、制御信号の変更についての一部の動作が異なり、その他の構成や動作については概ね同様である。このため第２実施形態では、第１実施形態と異なる部分について詳細に説明し、その他の重複する部分については適宜説明を省略する。
【００９７】
図１０において、第２実施形態に係る駆動回路では、先ず画像信号比較回路８００が、画像信号供給回路５００からａ系列のデータ線６ａに係る画像信号と、その直後に選択されるｂ系列のデータ線６ａに係る画像信号を取得する（ステップＳ２１）。そして、取得した２つの画像信号を互いに比較して、その差分を算出する（ステップＳ２２）。
【００９８】
続いて、画像信号比較回路８００は、算出した差分が、予め設定された所定の閾値以下であるか否かを判定する（ステップＳ２３）。ここで、差分が所定の閾値以下でない場合（ステップＳ２３：ＮＯ）、以降のステップは省略される。一方、差分が所定の閾値以下である場合（ステップＳ２３：ＹＥＳ）、タイミング信号供給回路９００が、ａ系列のデータ線６ａに係る制御信号Ｓｅｌ１の幅を、ｂ系列のデータ線６ａに係る制御信号Ｓｅｌ２に重なるように変更する（ステップＳ２４）。即ち、第２実施形態では、第１実施形態と異なり、各系列について、別々に制御信号の幅が変更される。ａ系列及びｂ系列についての処理が終了すると、続いてｂ系列及びｃ系列についての処理が開始される。このような処理が繰り返されることにより、全ての系列について、別々に制御信号の幅が変更される。
【００９９】
図１１に示すように、第２実施形態では、１水平期間内に制御信号の幅が変更される系列（Ｓｅｌ１）と、変更されない系列（Ｓｅｌ２〜ＳｅＬ８）が混在する場合がある。ここでは、画像信号の差がないａ系列及びｂ系列間でのみ制御信号が重なり合うように制御され、他の系列では制御信号が重なり合わないように制御されている。このように、各系列の制御信号を独立して制御することにより、表示画像に影響を与えないような範囲で、好適に表示ムラを低減することが可能となる。
【０１００】
図１２において、グループ毎に設けられている保持容量７００（図３参照）に保持される電圧は、１水平期間が開始されると、先ず初期値であるＶ０から、プリチャージ信号が供給されることによって、プリチャージ信号に応じたプリチャージ電圧Ｖｐに変更される。その後、保持電圧は書込開始までプリチャージ電圧Ｖｐのまま維持され、ａ系列のデータ線６ａに対応する画像信号が供給されることによって、画像信号に対応した電圧Ｖ１となる。
【０１０１】
ここで特に、プリチャージ電圧Ｖｐと画像信号に対応した電圧Ｖ１とに比較的大きな差があるため、ａ系列のデータ線６ａへの画像信号が供給され始めてから保持電圧がＶ１まで上昇するのに、ある程度の時間を要する。一方、ｂ系列以降のデータ線６ａに対応する画像信号が供給される際には、保持容量７００には既に直前の画像信号に対応する電圧が保持されているため、保持電圧が画像信号に対応する電圧となるのに時間を要しない。
【０１０２】
このように、初めに画像信号が供給されるａ系列のデータ線６ａと、それ以降に画像信号が供給されるｂ〜ｈ系列のデータ線６ａとでは、書込時の保持電圧に違いが生じてしまう。このため、保持電圧の低い状態で書込が開始されるａ系列のデータ線６ａは、他の系列と比べて書込不足になってしまう可能性が高い。よって、本実施形態による書込期間を長くできるという効果は、初めに画像信号が供給されるａ系列のデータ線６ａにおいて顕著に発揮される。このことから考えると、ａ系列のみについて制御信号の幅を変更するようにしたり、ａ系列のみ閾値を低めに設定したりすることで、より効果的に表示ムラを低減することができる。
【０１０３】
以上説明したように、第２実施形態に係る駆動回路及び駆動方法によれば、上述した第１実施形態と同様に、電気光学装置において高品質な表示を行うことが可能である。
【０１０４】
＜電子機器＞
次に、上述した電気光学装置である液晶装置を各種の電子機器に適用する場合について説明する。ここに図１３は、プロジェクターの構成例を示す平面図である。以下では、この液晶装置をライトバルブとして用いたプロジェクターについて説明する。
【０１０５】
図１３に示されるように、プロジェクター１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【０１０６】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【０１０７】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【０１０８】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルターを設ける必要はない。
【０１０９】
尚、図１３を参照して説明した電子機器の他にも、モバイル型のパーソナルコンピュータや、携帯電話、液晶テレビや、ビューファインダー型、モニタ直視型のビデオテープレコーダー、カーナビゲーション装置、ページャー、電子手帳、電卓、ワードプロセッサー、ワークステーション、テレビ電話、ＰＯＳ端末、タッチパネルを備えた装置等が挙げられる。そして、これらの各種電子機器に適用可能なのは言うまでもない。
【０１１０】
また、本発明は上述の各実施形態で説明した液晶装置以外にも反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【０１１１】
本発明は、上述した実施形態に限られるものではなく、特許請求の範囲及び明細書全体から読み取れる発明の要旨或いは思想に反しない範囲で適宜変更可能であり、そのような変更を伴う駆動回路及び駆動方法、並びに電気光学装置及び電子機器もまた本発明の技術的範囲に含まれるものである。
【符号の説明】
【０１１２】
６ａ…データ線、７…デマルチプレクサ、１０…ＴＦＴアレイ基板、１０ａ…画像表示領域、１１ａ…走査線、２０…対向基板、３０…ＴＦＴ、５０…液晶層、７０…蓄積容量、７１…トランジスタ、７２…液晶素子、１０１…データ線駆動回路、１０２…外部回路接続端子、１０４…走査線駆動回路、２００…フレキシブル基板、２１０，２２０…接続端子、２５０…集積回路、３００…画像信号線、４００…回路基板、４１０…コネクタ、５００…画像信号供給回路、６００…画素部、７００…保持容量、８００…画像信号比較回路、９００…タイミング信号供給回路
【図１】
2010224219.tif 000003
【図２】
2010224219.tif 000004
【図３】
2010224219.tif 000005
【図４】
2010224219.tif 000006
【図５】
2010224219.tif 000007
【図６】
2010224219.tif 000008
【図７】
2010224219.tif 000009
【図８】
2010224219.tif 000010
【図９】
2010224219.tif 000011
【図１０】
2010224219.tif 000012
【図１１】
2010224219.tif 000013
【図１２】
2010224219.tif 000014
【図１３】
2010224219.tif 000015